(57)【要約】【課題】無停電電源装置から出力される電力を電力分配装置により分配して負荷装置に供給する場合に、より簡単に無停電電源装置と電力分配装置の管理を行う。【解決手段】PDU１１１Ａの通信インタフェース３３Ａは、PDU１１１Ａを管理する情報処理装置１１２と通信する。通信インタフェース１３２Ａは、PDU１１１Ａに電力を入力するUPS１１Ａと通信する。制御部１３１Ａは、通信インタフェース３３Ａにより情報処理装置１１２から受信したデータのうち、UPS１１Ａにおいて処理されるデータを、通信インタフェース１３２Ａを介してUPS１１Ａに送信する。また、制御部１３１Ａは、通信インタフェース１３２ＡによりUPS１１Ａから受信したデータのうち、情報処理装置１１２において処理される第２のデータを、通信インタフェース３３Ａを介して情報処理装置１１２に送信する。本発明は、例えば、電力分配装置に適用できる。【選択図】図４
2010098864.tif 000002
【特許請求の範囲】
【請求項１】
入力された電力を複数の出力系統から分配して出力する電力分配装置において、
前記電力分配装置を管理する情報処理装置と通信する第１の通信手段と、
前記電力分配装置に電力を入力する無停電電源装置と通信する第２の通信手段と、
前記第１の通信手段により前記情報処理装置から受信したデータのうち、前記無停電電源装置において処理される第１のデータを、前記第２の通信手段を介して前記無停電電源装置に送信し、前記第２の通信手段により前記無停電電源装置から受信したデータのうち、前記情報処理装置において処理される第２のデータを、前記第１の通信手段を介して前記情報処理装置に送信する分配手段と
を備えることを特徴とする電力分配装置。
【請求項２】
複数の前記出力系統からの電力の出力を制御する出力制御手段をさらに備え、
前記第２の通信手段は、前記無停電電源装置に入力される電力の状態を示すデータを前記無停電電源装置から受信し、
前記出力制御手段は、前記無停電電源装置に入力される電力に異常が発生した場合、複数の前記出力系統からの電力の出力を予め設定された順序に従って停止するように制御する
ことを特徴とする請求項１に記載の電力分配装置。
【請求項３】
複数の前記出力系統からの電力の出力が全て停止された後、前記第２の通信手段を介して、前記無停電電源装置に停止の指令を送信する無停電電源装置制御手段を
さらに備えることを特徴とする請求項２に記載の電力分配装置。
【請求項４】
前記第１の通信手段は、複数の前記出力系統からの電力の出力を停止する順序を示す設定データを前記情報処理装置から受信し、
前記出力制御手段は、前記設定データに基づいて、複数の前記出力系統からの電力の出力を停止する順序を設定する
ことを特徴とする請求項２に記載の電力分配装置。
【請求項５】
複数の前記出力系統から出力される電力の測定を行う測定手段をさらに備え、
前記出力制御手段は、前記出力系統から出力される電力に異常が発生した場合、異常が発生した前記出力系統からの電力の出力を停止させる
ことを特徴とする請求項２に記載の電力分配装置。
【請求項６】
前記第１のデータは、前記無停電電源装置の設定用のパラメータおよび前記無停電電源装置が実行するプログラムの更新データのうち少なくとも１つを含む
ことを特徴とする請求項１に記載の電力分配装置。
【請求項７】
前記第２のデータは、前記無停電電源装置の状態を示すデータを含む
ことを特徴とする請求項１に記載の電力分配装置。
【請求項８】
無停電電源装置と、
前記無停電電源装置から入力される電力を複数の出力系統から分配して出力する電力分配装置と、
前記無停電電源装置および前記電力分配装置を管理する情報処理装置と
を備え、
前記電力分配装置と前記無停電電源装置および前記情報処理装置とは通信を行い、前記無停電電源装置と前記情報処理装置とは通信を行わず、
前記電力分配装置は、前記情報処理装置から受信したデータのうち、前記無停電電源装置において処理される第１のデータを、前記無停電電源装置に送信し、前記無停電電源装置から受信したデータのうち、前記情報処理装置において処理される第２のデータを、前記情報処理装置に送信する
ことを特徴とする無停電電源管理システム。
【請求項９】
無停電電源装置に入力される電力の状態を示すデータを受信する通信手段と、
前記無停電電源装置に入力される電力に異常が発生した場合、前記無停電電源装置から入力される電力を複数の出力系統から分配して出力する電力分配装置の複数の前記出力系統からの電力の出力を予め設定された順序に従って停止するように制御する電力分配装置制御手段と
を備えることを特徴とする情報処理装置。
【請求項１０】
前記電力分配装置の複数の前記出力系統からの電力の出力が全て停止された後、前記無停電電源装置を停止するように制御する無停電電源装置制御手段を
さらに備えることを特徴とする請求項９に記載の情報処理装置。
【請求項１１】
無停電電源装置と、
前記無停電電源装置から入力される電力を複数の出力系統から分配して出力する電力分配装置と、
前記無停電電源装置および前記電力分配装置と通信を行う情報処理装置と
を備え、
前記情報処理装置は、前記無停電電源装置に入力される電力の状態を示すデータを受信し、前記無停電電源装置に入力される電力に異常が発生した場合、前記電力分配装置の複数の前記出力系統からの電力の出力を予め設定された順序に従って停止するように制御する
ことを特徴とする無停電電源管理システム。
【発明の詳細な説明】
【技術分野】
【０００１】
本発明は、電力分配装置、情報処理装置、および、無停電電源管理システムに関し、特に、無停電電源装置から出力される電力の分配を行う場合に用いて好適な電力分配装置、情報処理装置、および、無停電電源管理システムに関する。
【背景技術】
【０００２】
従来、ポート毎に電源をオン／オフするスイッチを内蔵し、外部からコマンドを入力することにより、所望のポートの電源をオン／オフすることが可能な電力分配装置が提案されている（例えば、特許文献１参照）。
【０００３】
【特許文献１】特開２００７−１７９２５２号公報
【発明の開示】
【発明が解決しようとする課題】
【０００４】
ところで、従来、特許文献１に記載されたような電力分配装置を、UPS（Uninterruptible Power Supply，無停電電源装置）の出力側に接続し、UPSから出力される電力を複数の負荷装置に分配して供給するとともに、UPSおよび電力分配装置の管理、並びに、負荷装置のシャットダウンの制御を行う管理用のコンピュータを設けたシステムの構築が行われる場合がある。このようなシステムにおいては、管理用のコンピュータから、より簡単にUPSと電力分配装置の管理を行えるようにすることが望まれている。
【０００５】
本発明は、このような状況に鑑みてなされたものであり、UPSから出力される電力を電力分配装置により分配して負荷装置に供給する場合に、より簡単にUPSと電力分配装置の管理を行うことができるようにするものである。
【課題を解決するための手段】
【０００６】
本発明の第１の側面の電力分配装置は、入力された電力を複数の出力系統から分配して出力する電力分配装置において、電力分配装置を管理する情報処理装置と通信する第１の通信手段と、電力分配装置に電力を入力する無停電電源装置と通信する第２の通信手段と、第１の通信手段により情報処理装置から受信したデータのうち、無停電電源装置において処理される第１のデータを、第２の通信手段を介して無停電電源装置に送信し、第２の通信手段により無停電電源装置から受信したデータのうち、情報処理装置において処理される第２のデータを、第１の通信手段を介して情報処理装置に送信する分配手段とを備える。
【０００７】
本発明の第１の側面においては、電力分配装置を管理する情報処理装置から受信したデータのうち、電力分配装置に電力を入力する無停電電源装置において処理される第１のデータが無停電電源装置に送信され、無停電電源装置から受信したデータのうち、情報処理装置において処理される第２のデータが、第１の通信手段を介して情報処理装置に送信される。
【０００８】
従って、無停電電源装置から出力される電力を電力分配装置により分配して負荷装置に供給する場合に、より簡単に無停電電源装置と電力分配装置の管理を行うことができる。
【０００９】
この第１の通信手段および第２の通信手段は、例えば、RS-232C（Recommended Standard 232 version C）、USB（Universal Serial Bus）、IEEE1394（Institute of Electrical and Electronic Engineers 1394）、IEEE802.11（Institute of Electrical and Electronic Engineers 802.11）、IEEE802.15（Institute of Electrical and Electronic Engineers 802.15）などの所定の通信方式に従って通信を行う通信装置により構成される。この分配手段は、例えば、CPU（Central Processing Unit）、MPU（Micro Processing Unit）などの演算装置により構成される。
【００１０】
この電力分配装置には、複数の出力系統からの電力の出力を制御する出力制御手段をさらに設け、第２の通信手段には、無停電電源装置に入力される電力の状態を示すデータを無停電電源装置から受信させ、出力制御手段には、無停電電源装置に入力される電力に異常が発生した場合、複数の出力系統からの電力の出力を予め設定された順序に従って停止するように制御させることができる。
【００１１】
これにより、無停電電源装置に入力される電力に異常が発生した場合に、各負荷装置への給電を停止する順序を、簡単に制御することができる。
【００１２】
この出力制御手段は、例えば、CPU（Central Processing Unit）、MPU（Micro Processing Unit）などの演算装置により構成される。
【００１３】
この電力分配装置には、複数の出力系統からの電力の出力が全て停止された後、第２の通信手段を介して、無停電電源装置に停止の指令を送信する無停電電源装置制御手段をさらに設けることができる。
【００１４】
これにより、無停電電源装置を情報処理装置に接続しなくても、全ての負荷装置への給電を停止した後、無停電電源装置を停止させることができる。
【００１５】
この無停電電源装置制御手段は、例えば、CPU（Central Processing Unit）、MPU（Micro Processing Unit）などの演算装置により構成される。
【００１６】
第１の通信手段には、複数の出力系統からの電力の出力を停止する順序を示す設定データを情報処理装置から受信させ、出力制御手段には、設定データに基づいて、複数の出力系統からの電力の出力を停止する順序を設定させることができる。
【００１７】
これにより、無停電電源装置に入力される電力に異常が発生した場合に、各負荷装置への給電を停止する順序を、簡単に設定し、制御することができる。
【００１８】
複数の出力系統から出力される電力の測定を行う測定手段をさらに設け、出力制御手段には、出力系統から出力される電力に異常が発生した場合、異常が発生した出力系統からの電力の出力を停止させることができる。
【００１９】
これにより、正常に稼動している負荷装置への給電を継続したまま、異常が発生した負荷装置への給電を停止することができる。
【００２０】
この測定手段は、例えば、電力測定回路や電力測定器により構成される。
【００２１】
第１のデータは、無停電電源装置の設定用のパラメータおよび無停電電源装置が実行するプログラムの更新データのうち少なくとも１つを含むようにすることができる。
【００２２】
これにより、無停電電源装置を情報処理装置に接続しなくても、情報処理装置を用いて、無停電電源装置の設定や、無停電電源装置のプログラムの更新を行うことができる。
【００２３】
第２のデータは、無停電電源装置の状態を示すデータを含むようにすることができる。
【００２４】
これにより、無停電電源装置を情報処理装置に接続しなくても、情報処理装置において無停電電源装置の状態を把握することが可能になる。
【００２５】
本発明の第２の側面の無停電電源管理システムは、無停電電源装置と、無停電電源装置から入力される電力を複数の出力系統から分配して出力する電力分配装置と、無停電電源装置および電力分配装置を管理する情報処理装置とを備え、電力分配装置と無停電電源装置および情報処理装置とは通信を行い、無停電電源装置と情報処理装置とは通信を行わず、電力分配装置は、情報処理装置から受信したデータのうち、無停電電源装置において処理される第１のデータを、無停電電源装置に送信し、無停電電源装置から受信したデータのうち、情報処理装置において処理される第２のデータを、情報処理装置に送信する。
【００２６】
本発明の第２の側面においては、電力分配装置により、無停電電源装置および電力分配装置を管理する情報処理装置から受信したデータのうち、電力分配装置に電力を入力する無停電電源装置において処理される第１のデータが、無停電電源装置に送信され、無停電電源装置から受信したデータのうち、情報処理装置において処理される第２のデータが、情報処理装置に送信される。
【００２７】
従って、無停電電源装置から出力される電力を電力分配装置により分配して負荷装置に供給する場合に、より簡単に無停電電源装置と電力分配装置の管理を行うことができる。
【００２８】
本発明の第３の側面の情報処理装置は、無停電電源装置に入力される電力の状態を示すデータを受信する通信手段と、無停電電源装置に入力される電力に異常が発生した場合、無停電電源装置から入力される電力を複数の出力系統から分配して出力する電力分配装置の複数の出力系統からの電力の出力を予め設定された順序に従って停止するように制御する電力分配装置制御手段とを備える。
【００２９】
本発明の第３の側面においては、無停電電源装置に入力される電力の状態を示すデータが受信され、無停電電源装置に入力される電力に異常が発生した場合、無停電電源装置から入力される電力を複数の出力系統から分配して出力する電力分配装置の複数の出力系統からの電力の出力が予め設定された順序に従って停止するように制御される。
【００３０】
従って、無停電電源装置から出力される電力を電力分配装置により分配して負荷装置に供給する場合に、より簡単に無停電電源装置と電力分配装置の管理を行うことができる。より詳細には、無停電電源装置に入力される電力に異常が発生した場合に、各負荷装置への給電を停止する順序を、簡単に制御することができる。
【００３１】
この通信手段は、例えば、RS-232C（Recommended Standard 232 version C）、USB（Universal Serial Bus）、IEEE1394（Institute of Electrical and Electronic Engineers 1394）、IEEE802.11（Institute of Electrical and Electronic Engineers 802.11）、IEEE802.15（Institute of Electrical and Electronic Engineers 802.15）などの所定の通信方式に従って通信を行う通信装置により構成される。この電力分配装置制御手段は、例えば、CPU（Central Processing Unit）、MPU（Micro Processing Unit）などの演算装置により構成される。
【００３２】
この情報処理装置には、電力分配装置の複数の出力系統からの電力の出力が全て停止された後、無停電電源装置を停止するように制御する無停電電源装置制御手段をさらに設けることができる。
【００３３】
これにより、簡単に、全ての負荷装置への給電を停止した後、無停電電源装置を停止させることができる
【００３４】
この無停電電源装置制御手段は、例えば、CPU（Central Processing Unit）、MPU（Micro Processing Unit）などの演算装置により構成される。
【００３５】
本発明の第４の側面の無停電電源管理システムは、無停電電源装置と、無停電電源装置から入力される電力を複数の出力系統から分配して出力する電力分配装置と、無停電電源装置および電力分配装置と通信を行う情報処理装置とを備え、情報処理装置は、無停電電源装置に入力される電力の状態を示すデータを受信し、無停電電源装置に入力される電力に異常が発生した場合、電力分配装置の複数の出力系統からの電力の出力を予め設定された順序に従って停止するように制御する。
【００３６】
本発明の第４の側面においては、情報処理装置により、無停電電源装置に入力される電力の状態を示すデータが受信され、無停電電源装置に入力される電力に異常が発生した場合、無停電電源装置から入力される電力を複数の出力系統から分配して出力する電力分配装置の複数の出力系統からの電力の出力が予め設定された順序に従って停止するように制御される。
【００３７】
従って、無停電電源装置から出力される電力を電力分配装置により分配して負荷装置に供給する場合に、より簡単に無停電電源装置と電力分配装置の管理を行うことができる。より詳細には、無停電電源装置に入力される電力に異常が発生した場合に、各負荷装置への給電を停止する順序を、簡単に制御することができる。
【発明の効果】
【００３８】
本発明の第１乃至第４の側面によれば、無停電電源装置から出力される電力を電力分配装置により分配して負荷装置に供給する場合に、より簡単に無停電電源装置と電力分配装置の管理を行うことができる。
【発明を実施するための最良の形態】
【００３９】
以下、図を参照して、本発明の実施の形態について説明する。
【００４０】
まず、図１乃至図３を参照して、本発明を適用した情報処理システムの第１の実施の形態について説明する。
【００４１】
図１は、本発明を適用した情報処理システムの第１の実施の形態を示すブロック図である。図１の情報処理システム１は、UPS（Uninterruptible Power Supply，無停電電源装置）１１Ａ乃至１１Ｃ、PDU（Power Distribution Unit，電力分配装置）１２Ａ乃至１２Ｃ、各種の電気機器により構成される負荷装置１３Ａ１乃至１３Ａ３、および、情報処理装置１４を含むように構成される。UPS１１Ａ乃至１１Ｃは、図示せぬ交流電源に接続されている。また、UPS１１ＡとPDU１２Ａ、UPS１１ＢとPDU１２Ｂ、および、UPS１１ＣとPDU１２Ｃが接続されている。さらに、PDU１２Ａと負荷装置１３Ａ１乃至１３Ａ３、PDU１２Ｂと負荷装置１３Ｂ１乃至１３Ｂ３、および、PDU１２Ｃと負荷装置１３Ｃ１乃至１３Ｃ３が接続されている。また、UPS１１Ａ乃至１１ＣおよびPDU１２Ａ乃至１２Ｃが、それぞれ情報処理装置１４に接続されている。
【００４２】
なお、以下、UPS１１Ａ乃至１１Ｃを個々に区別する必要がない場合、単に、UPS１１と称する。また、以下、PDU１２Ａ乃至１２Ｃを個々に区別する必要がない場合、単に、PDU１２と称する。さらに、以下、負荷装置１３Ａ１乃至１３Ｃ３を個々に区別する必要がない場合、単に、負荷装置１３と称する。
【００４３】
UPS１１Ａは、電力供給回路２１Ａ、出力端子２２Ａ、制御部２３Ａ、および、通信インタフェース（I/F）２４Ａを含むように構成される。
【００４４】
電力供給回路２１Ａは、UPS１１Ａの本体部であり、制御部２３Ａの制御の基に、出力端子２２ＡおよびPDU１２Ａを介して、負荷装置１３Ａ１乃至１３Ａ３への給電を行う。なお、電力供給回路２１Ａの給電方式は、特定の方式に限定されるものではなく、例えば、常時商用給電方式、ラインインタラクティブ給電方式、常時インバータ給電方式などを採用することが可能である。
【００４５】
例えば、常時商用給電方式を採用した場合、交流電源から正常に電力が供給されているとき、電力供給回路２１Ａは、出力端子２２ＡおよびPDU１２Ａを介して、交流電源からの電力（以下、入力電力と称する）をそのまま負荷装置１３Ａ１乃至１３Ａ３に供給する。また、電力供給回路２１Ａは、入力電力を用いて充電器（不図示）により内蔵するバッテリ（不図示）の充電を行う。一方、停電や入力電圧の異常（電圧低下または上昇）などの入力電力の異常が発生したとき、電力供給回路２１Ａは、バッテリに蓄積されている電力を、インバータ（不図示）により交流に変換し、出力端子２２ＡおよびPDU１２Ａを介して、負荷装置１３Ａ１乃至１３Ａ３に供給する。
【００４６】
また、ラインインタラクティブ方式を採用した場合、入力電力が正常であるとき、電力供給回路２１Ａは、常時商用給電方式を採用した場合と同様に、出力端子２２ＡおよびPDU１２Ａを介して、入力電力をそのまま負荷装置１３Ａ１乃至１３Ａ３に供給するとともに、入力電力を用いて充電器により内蔵するバッテリの充電を行う。一方、停電が発生したとき、電力供給回路２１Ａは、バッテリに蓄積されている電力を、インバータにより交流に変換し、出力端子２２ＡおよびPDU１２Ａを介して、負荷装置１３Ａ１乃至１３Ａ３に供給する。また、入力電圧の異常が発生したとき、電力供給回路２１Ａは、昇圧または降圧を行い、入力電圧を正常な値に補正した後、出力端子２２ＡおよびPDU１２Ａを介して、負荷装置１３Ａ１乃至１３Ａ３に電圧を補正した後の入力電力を供給する。
【００４７】
さらに、常時インバータ給電方式を採用した場合、入力電力が正常であるとき、電力供給回路２１Ａは、入力電力をコンバータ（不図示）によりいったん直流に変換した後、インバータにより交流に変換し、インバータから出力される電力を、出力端子２２ＡおよびPDU１２Ａを介して、負荷装置１３Ａ１乃至１３Ａ３に供給する。また、電力供給回路２１Ａは、コンバータから出力される直流の電力を用いて内蔵するバッテリの充電を行う。一方、入力電力に異常が発生したとき、電力供給回路２１Ａは、常時商用給電方式を採用した場合と同様に、バッテリに蓄積されている電力を、インバータにより交流に変換し、出力端子２２ＡおよびPDU１２Ａを介して、負荷装置１３Ａ１乃至１３Ａ３に供給する。
【００４８】
なお、以下、給電方式の違いに関わらず、電力供給回路２１Ａが、バッテリに蓄積されている電力を用いて負荷装置１３Ａ１乃至１３Ａ３に給電することを、バックアップ給電と称し、入力電力を用いて負荷装置１３Ａ１乃至１３Ａ３に給電することを、通常給電と称する。
【００４９】
また、電力供給回路２１Ａは、入力電力の状態を示すデータ、および、電力供給回路２１Ａの状態を示すデータを制御部２３Ａに供給する。なお、この入力電力を示すデータは、例えば、入力電力の電力量、電圧、電流、周波数などを含む。また、この電力供給回路２１Ａの状態を示すデータは、例えば、稼動時間、バッテリの電圧、出力電力の状態（例えば、電力量、電圧、電流、周波数など）、通常給電またはバックアップ給電のどちらの給電を行っているか、バックアップ給電の継続時間などを含む。
【００５０】
出力端子２２Aは、例えば、コンセント（英語でoutlet）により構成され、PDU１２Ａの電源コネクタが接続されている。
【００５１】
制御部２３Ａは、例えば、CPU（Central Processing Unit）などの演算装置により構成され、UPS１１Ａ全体の制御を行う。例えば、制御部２３Ａは、入力電力の異常を検出した場合、電力供給回路２１Ａを通常給電からバックアップ給電に切り替え、入力電力の異常が解消された場合、電力供給回路２１Ａをバックアップ給電から通常給電に切り替える。また、制御部２３Ａは、電力供給回路２１Ａのバッテリの放電が終了した場合、電力供給回路２１Ａを停止する。さらに、制御部２３Ａは、図示せぬ入力装置を介してユーザにより入力される指令に従って、電力供給回路２１Ａの起動および停止を制御したり、UPS１１Ａの各種のパラメータ（例えば、出力電圧、停電の検出感度など）の設定を行う。
【００５２】
また、制御部２３Ａは、情報処理装置１４から送信されてくる各種のデータを、通信インタフェース２４Ａを介して受信し、受信したデータを用いて各種の処理を行う。さらに、制御部２３Ａは、入力電力および電力供給回路２１Ａの状態を含むUPS１１Ａの状態を示すデータを、通信インタフェース２４Ａを介して情報処理装置１４に送信する。
【００５３】
通信インタフェース２４Ａは、無線または有線の所定の通信方式により、情報処理装置１４と通信を行う。なお、通信インタフェース２４Ａに適用される通信方式は、特定の方式に限定されるものではない。
【００５４】
なお、UPS１１ＢおよびUPS１１Ｃも、UPS１１Ａと同様の構成を有しており、その説明は繰り返しになるので省略する。
【００５５】
PDU１２Ａは、３つの出力系統３１Ａ１乃至３１Ａ３、制御部３２Ａ、および、通信インタフェース（I/F）３３Ａを含むように構成される。また、出力系統３１Ａ１は、電力測定回路４１Ａ１、スイッチ４２Ａ１および出力端子４３Ａ１を備え、出力系統３１Ａ２は、電力測定回路４１Ａ２、スイッチ４２Ａ２および出力端子４３Ａ２を備え、出力系統３１Ａ３は、電力測定回路４１Ａ３、スイッチ４２Ａ３および出力端子４３Ａ３を備えている。さらに、出力系統３１Ａ１の出力端子４３Ａ１には、負荷装置１３Ａ１が接続され、出力系統３１Ａ２の出力端子４３Ａ２には、負荷装置１３Ａ２が接続され、出力系統３１Ａ３の出力端子４３Ａ３には、負荷装置１３Ａ３が接続されている。
【００５６】
電力測定回路４１Ａ１は、スイッチ４２Ａ１および出力端子４３Ａ１を介して負荷装置１３Ａ１に供給される電力（以下、UPS１１からの出力電力と区別するために負荷電力と称する）の状態（例えば、電力量、電圧、電流、周波数など）の測定を行い、測定結果を示すデータを制御部３２Ａに供給する。同様に、電力測定回路４１Ａ２は、出力系統３１Ａ２の負荷電力の状態の測定を行い、測定結果を示すデータを制御部３２Ａに供給し、電力測定回路４１Ａ３は、出力系統３１Ａ３の負荷電力の状態の測定を行い、測定結果を示すデータを制御部３２Ａに供給する。
【００５７】
スイッチ４２Ａ１は、制御部３２Ａの制御の基に、または、ユーザによる操作により、オンまたはオフされ、その結果、出力系統３１Ａ１からの給電がオンまたはオフされる。同様に、スイッチ４２Ａ２は、制御部３２Ａの制御の基に、または、ユーザによる操作により、オンまたはオフされ、その結果、出力系統３１Ａ２からの給電がオンまたはオフされ、スイッチ４２Ａ３は、制御部３２Ａの制御の基に、または、ユーザによる操作により、オンまたはオフされ、その結果、出力系統３１Ａ３からの給電がオンまたはオフされる。
【００５８】
出力端子４３Ａ１乃至４３Ａ３は、例えば、コンセント（英語でoutlet）により構成される。そして、出力端子４３Ａ１には、負荷装置１３Ａ１の電源コネクタが接続され、出力端子４３Ａ２には、負荷装置１３Ａ２の電源コネクタが接続され、出力端子４３Ａ３には、負荷装置１３Ａ３の電源コネクタが接続されている。
【００５９】
制御部３２Ａは、例えば、CPUなどの演算装置により構成され、PDU１２Ａ全体の制御を行う。
【００６０】
図２は、制御部３２Ａが所定の制御プログラムを実行することにより実現される機能の構成の例を示している。制御部３２Ａが所定の制御プログラムを実行することにより、監視部７１および出力制御部７２を含む機能が実現される。
【００６１】
監視部７１は、電力測定回路４１Ａ１乃至４１Ｃから出力系統３１Ａ１乃至３１Ａ３の負荷電力の状態の測定結果を示すデータを取得し、負荷電力の監視を行う。また、監視部７１は、負荷電力の監視結果を示すデータを出力制御部７２に供給する。さらに、監視部７１は、通信インタフェース３３Ａを介して情報処理装置１４から送信されてくる指令、または、図示せぬ入力装置を介して入力される指令に基づいて、各種のパラメータ（例えば、負荷電力の異常検出に用いる閾値など）の設定を行う。
【００６２】
出力制御部７２は、監視部７１による負荷電力の監視結果、通信インタフェース３３Ａを介して情報処理装置１４から送信されてくる各種のデータ、および、図示せぬ入力装置を介して入力される各種のデータに基づいて、スイッチ４２Ａ１乃至４２Ａ３のオンおよびオフの制御を行い、負荷装置１３Ａ１乃至１３Ａ３への給電を制御する。また、出力制御部７２は、PDU１２Ａの状態を示すデータを、通信インタフェース３３Ａを介して情報処理装置１４に送信する。なお、このPDU１２Ａの状態を示すデータは、例えば、負荷電力の状態、スイッチ４２Ａ１乃至４２Ａ３の状態などを含む。
【００６３】
図１に戻り、通信インタフェース３３Ａは、無線または有線の所定の通信方式により、情報処理装置１４と通信を行う。なお、通信インタフェース２４Ａに適用される通信方式は、特定の方式に限定されるものではない。
【００６４】
なお、PDU１２ＢおよびPDU１２Ｃも、PDU１２Ａと同様の構成を有しており、その説明は繰り返しになるので省略する。
【００６５】
情報処理装置１４は、例えば、コンピュータにより構成され、UPS１１Ａ乃至１１ＣおよびPDU１２Ａ乃至１２Ｃの管理を行う。また、情報処理装置１４は、負荷装置１３Ａ１乃至１３Ｃ３のうち、シャットダウンの制御などが必要な負荷装置１３の管理を行う。なお、図１において、図を分かりやすくするために、情報処理装置１４と負荷装置１３Ａ１乃至１３Ｃ３との間の配線の図示を省略している。
【００６６】
また、情報処理装置１４は、CPUなどの演算装置、および、通信装置などにより構成される制御部５１を備えている。
【００６７】
図３は、制御部５１が所定の制御プログラムを実行することにより実現される機能の構成の例を示している。制御部５１が所定の制御プログラムを実行することにより、設定部８１、UPS管理部８２、PDU管理部８３、負荷管理部８４、モニタ部８５、および、通信部８６を含む機能が実現される。
【００６８】
設定部８１は、図示せぬ入力装置を介して入力されるユーザからの指令に従って、情報処理システム１の処理に必要な設定を行うための設定画面を、図示せぬ表示装置に表示させる。設定部８１は、ユーザが設定画面に従って入力装置を介して入力した各種のパラメータをUPS管理部８２、PDU管理部８３、および、負荷管理部８４に供給する。また、設定部８１は、入力装置を介して入力されるユーザからの指令に従って、UPS１１Ａ乃至１１Ｃが実行するプログラム（例えば、ファームウエアなど）の更新データをUPS管理部８２に供給する。
【００６９】
UPS管理部８２は、通信部８６を介して、UPS１１Ａ乃至１１Ｃと各種のデータの送受信を行い、UPS１１Ａ乃至１１Ｃの管理を行う。また、UPS管理部８２は、UPS１１Ａ乃至１１Ｃから送信されてくるUPS１１Ａ乃至１１Ｃの状態を示すデータを取得し、PDU管理部８３、負荷管理部８４、および、モニタ部８５に供給する。
【００７０】
PDU管理部８３は、通信部８６を介して、PDU１２Ａ乃至１２Ｃと各種のデータの送受信を行い、PDU１２Ａ乃至１２Ｃの管理を行う。また、PDU管理部８３は、PDU１２Ａ乃至１２Ｃから送信されてくるPDU１２Ａ乃至１２Ｃの状態を示すデータを取得し、UPS管理部８２、負荷管理部８４、および、モニタ部８５に供給する。
【００７１】
負荷管理部８４は、通信部８６を介して、負荷装置１３Ａ１乃至１３Ｃ３のうち管理が必要とされる負荷装置１３と、各種のデータの送受信を行い、それらの負荷装置１３の管理を行う。また、負荷管理部８４は、管理を行っている負荷装置１３から送信されてくる負荷装置１３の状態を示すデータを、UPS管理部８２およびPDU管理部８３に供給する。
【００７２】
モニタ部８５は、図示せぬ入力装置を介して入力されるユーザからの指令に従って、UPS１１Ａ乃至１１ＣおよびPDU１２Ａ乃至１２Ｃの状態を監視するための監視画面を、図示せぬ表示装置に表示させる。
【００７３】
通信部８６は、UPS１１Ａ乃至１１Ｃの通信インタフェース２４Ａ乃至２４Ｃ、および、PDU１２Ａ乃至１２Ｃの通信インタフェース３３Ａ乃至３３Ｃと個別に通信を行う。また、図示していないが、通信部８６は、負荷装置１３Ａ１乃至１３Ｃ３のうち管理が必要な負荷装置１３と通信を行う。
【００７４】
ここで、情報処理システム１の処理の例についていくつか説明する。なお、以下、説明を簡単にするために、UPS１１Ａ乃至１１ＣのうちUPS１１Ａの処理、および、PDU１２Ａ乃至１２ＣのうちPDU１２Ａの処理についてのみ説明するが、UPS１１ＢおよびUPS１１Ｃ、並びに、PDU１２ＢおよびPDU１２Ｃについても同様の処理を実行することが可能である。
【００７５】
まず、情報処理装置１４によりUPS１１Ａに関する設定を行う場合の処理の例について説明する。
【００７６】
情報処理装置１４の設定部８１は、図示せぬ入力装置を介して入力されるユーザからの指令に従って、UPS１１Ａに関する設定を行うための設定画面を、図示せぬ表示装置に表示させる。設定部８１は、ユーザが設定画面に従って入力装置を介して入力した各種の設定用のパラメータを、UPS管理部８２に供給する。UPS管理部８２は、必要なパラメータを記憶するとともに、UPS１１Ａにおいて必要なパラメータを、通信部８６、および、UPS１１Ａの通信インタフェース２４Ａを介して、UPS１１Ａの制御部２３Ａに送信する。制御部２３Ａは、取得したパラメータを記憶し、以降、記憶したパラメータに従って、UPS１１Ａの制御を行う。
【００７７】
なお、この処理で、情報処理装置１４から取得したパラメータにより設定される項目としては、例えば、停電の検出感度、UPS１１Ａの出力電圧などがある。
【００７８】
次に、情報処理装置１４によりPDU１２Ａに関する設定を行う場合の処理の例について説明する。
【００７９】
情報処理装置１４の設定部８１は、図示せぬ入力装置を介して入力されるユーザからの指令に従って、PDU１２Ａに関する設定を行うための設定画面を、図示せぬ表示装置に表示させる。設定部８１は、ユーザが設定画面に従って入力装置を介して入力した各種の設定用のパラメータをPDU管理部８３に供給する。PDU管理部８３は、必要なパラメータを記憶するとともに、PDU１２Ａにおいて必要なパラメータを、通信部８６、および、PDU１２Ａの通信インタフェース３３Ａを介して、PDU１２Ａの監視部７１および出力制御部７２に送信する。監視部７１および出力制御部７２は、取得したパラメータを記憶し、以降、記憶したパラメータに従って、PDU１２Ａの制御を行う。
【００８０】
なお、この処理で、情報処理装置１４から取得したパラメータにより設定される項目としては、例えば、負荷電力の異常検出に用いる閾値、スイッチ４２Ａ１乃至４２Ａ３をオンおよびオフする順序およびタイミング（換言すれば、出力系統３１Ａ１乃至３１Ａ３からの電力の出力を停止する順序およびタイミング）などがある。
【００８１】
次に、ユーザにより設定されたスケジュールに従い、UPS１１Ａの起動および停止を行い、負荷装置１３Ａ１乃至１３Ａ３への給電の開始および停止を行う場合の処理の例について説明する。
【００８２】
UPS１１Ａを起動する時刻になったとき、情報処理装置１４のUPS管理部８２は、通信部８６、および、UPS１１Ａの通信インタフェース２４Ａを介して、UPS１１Ａの制御部２３Ａに起動を指令するデータを送信する。制御部２３Ａは、受信した指令に従って、電力供給回路２１Ａを起動する。これにより、UPS１１ＡからPDU１２Ａへの電力の供給が開始される。そして、制御部２３Ａは、通信インタフェース２４Ａ、および、情報処理装置１４の通信部８６を介して、UPS１１Ａの起動が完了したことを通知するデータを、情報処理装置１４のUPS管理部８２に送信する。
【００８３】
UPS管理部８２は、UPS１１Ａの起動が完了したことをPDU管理部８３に通知する。PDU管理部８３は、通信部８６、および、PDU１２Ａの通信インタフェース３３Ａを介して、スイッチ４２Ａ１乃至４２Ａ３のオンを指令するデータを、PDU１２Ａの出力制御部７２に送信する。出力制御部７２は、受信した指令に従って、スイッチ４２Ａ１乃至４２Ａ３をオンする。これにより、負荷装置１３Ａ１乃至１３Ａ３への給電が開始される。
【００８４】
このとき、出力制御部７２は、スイッチ４２Ａ１乃至４２Ａ３をオンする順序およびタイミングが設定されている場合、設定されている順序およびタイミングで、スイッチ４２Ａ１乃至４２Ａ３をオンする。これにより、負荷装置１３Ａ１乃至１３Ａ３への給電を開始し、負荷装置１３Ａ１乃至１３Ａ３を起動する順序およびタイミングを制御することができる。
【００８５】
なお、出力制御部７２によりスイッチ４２Ａ１乃至４２Ａ３をオンする順序およびタイミングを制御する代わりに、情報処理装置１４のPDU管理部８３が、スイッチ４２Ａ１乃至４２Ａ３のオンを指令するデータを、それぞれ設定されている順序およびタイミングで、PDU１２Ａの出力制御部７２に送信し、スイッチ４２Ａ１乃至４２Ａ３をオンする順序およびタイミングを制御するようにしてもよい。
【００８６】
出力制御部７２は、スイッチ４２Ａ１乃至４２Ａ３をそれぞれオンする毎に、通信インタフェース３３Ａ、および、情報処理装置１４の通信部８６を介して、スイッチがオンしたことを示すデータを、情報処理装置１４のPDU管理部８３に送信する。
【００８７】
その後、UPS１１Ａを停止する時刻になったとき、情報処理装置１４の負荷管理部８４は、通信部８６を介して、負荷装置１３Ａ１乃至１３Ａ３のうちシャットダウン処理が必要な負荷装置１３に、シャットダウンを指令するデータを送信する。シャットダウンが指令された負荷装置１３は、シャットダウンの処理を実行する。負荷管理部８４は、負荷装置１３にシャットダウンの指令を送信したことを、UPS管理部８２およびPDU管理部８３に通知する。
【００８８】
PDU管理部８３は、通信部８６、および、PDU１２Ａの通信インタフェース３３Ａを介して、スイッチ４２Ａ１乃至４２Ａ３のオフを指令するデータを、PDU１２Ａの出力制御部７２に送信する。出力制御部７２は、受信した指令に従って、スイッチ４２Ａ１乃至４２Ａ３をオフする。これにより、負荷装置１３Ａ１乃至１３Ａ３への給電が停止される。
【００８９】
このとき、出力制御部７２は、スイッチ４２Ａ１乃至４２Ａ３をオフする順序およびタイミングが設定されている場合、設定されている順序およびタイミングで、スイッチ４２Ａ１乃至４２Ａ３をオフする。これにより、負荷装置１３Ａ１乃至１３Ａ３のシャットダウンに要する時間などに合わせて、負荷装置１３Ａ１乃至１３Ａ３への給電を停止する順序およびタイミングを制御することができる。
【００９０】
なお、出力制御部７２によりスイッチ４２Ａ１乃至４２Ａ３をオフする順序およびタイミングを制御する代わりに、情報処理装置１４のPDU管理部８３が、スイッチ４２Ａ１乃至４２Ａ３のオフを指令するデータを、それぞれ設定されている順序およびタイミングでPDU１２Ａの出力制御部７２に送信し、スイッチ４２Ａ１乃至４２Ａ３をオフする順序およびタイミングを制御するようにしてもよい。
【００９１】
出力制御部７２は、スイッチ４２Ａ１乃至４２Ａ３をそれぞれオフする毎に、通信インタフェース３３Ａ、および、情報処理装置１４の通信部８６を介して、スイッチがオフしたことを示すデータを、情報処理装置１４のPDU管理部８３に送信する。
【００９２】
PDU管理部８３は、スイッチ４２Ａ１乃至４２Ａ３が全てオフされ、出力系統４３Ａ１乃至４３Ａ３からの電力の出力が全て停止された後、スイッチ４２Ａ１乃至４２Ａ３が全てオフされたことをUPS管理部８２に通知する。UPS管理部８２は、通信部８６、および、UPS１１Ａの通信インタフェース２４Ａを介して、UPS１１Ａの制御部２３Ａに停止を指令するデータを送信する。制御部２３Ａは、受信した指令に従って、電力供給回路２１Ａを停止する。そして、制御部２３Ａは、通信インタフェース２４Ａ、および、情報処理装置１４の通信部８６を介して、UPS１１Ａの停止が完了したことを通知するデータを、情報処理装置１４のUPS管理部８２に送信する。
【００９３】
次に、停電などの入力電力の異常が発生した時に、UPS１１Ａを停止し、負荷装置１３Ａ１乃至１３Ａ３への給電を停止する場合の処理の例について説明する。
【００９４】
UPS１１Ａの制御部２３Ａは、電力供給回路２１Ａを通常給電からバックアップ給電に切り替えるとともに、通信インタフェース２４Ａ、および、情報処理装置１４の通信部８６を介して、入力電力の異常が発生したことを示すデータを、情報処理装置１４のUPS管理部８２に送信する。UPS管理部８２は、入力電力の異常が予め設定されている期間以上継続した場合、通信部８６を介して、負荷装置１３Ａ１乃至１３Ａ３のうちシャットダウン処理が必要な負荷装置１３に、シャットダウンを指令するデータを送信する。以降の処理は、ユーザにより設定されたスケジュールに従って、UPS１１Ａを停止し、負荷装置１３Ａ１乃至１３Ａ３への給電を停止する場合の処理と同様であり、その説明は繰り返しになるので省略する。
【００９５】
次に、負荷装置１３Ａ１に短絡などの異常が発生し、PDU１２Ａの出力系統３１Ａ１の負荷電力が異常になった場合の処理の例について説明する。
【００９６】
PDU１２Ａの監視部７１は、出力系統３１Ａ１の負荷電力が異常になったことを出力制御部７２に通知する。出力制御部７２は、スイッチ４２Ａ２およびスイッチ４２Ａ３の状態を変更せずに、スイッチ４２Ａ１のみをオフし、負荷装置１３Ａ１への給電のみを停止する。出力制御部７２は、通信インタフェース３３Ａ、および、情報処理装置１４の通信部８６を介して、スイッチ４２Ａ１をオフしたことを示すデータを、情報処理装置１４のPDU管理部８３に送信する。
【００９７】
最後に、UPS１１Ａの制御部２３Ａが実行するプログラムを更新する場合の処理の例について説明する。
【００９８】
情報処理装置１４の設定部８１は、図示せぬ入力装置を介して入力されるユーザからの指令に従って、UPS１１Ａのプログラムの更新を実行するための画面を、図示せぬ表示装置に表示させる。設定部８１は、ユーザが設定画面に従って入力装置を介して指定したプログラムの更新データを、UPS管理部８２に供給する。UPS管理部８２は、取得した更新データを、通信部８６、および、UPS１１Ａの通信インタフェース２４Ａを介して、UPS１１Ａの制御部２３Ａに送信する。制御部２３Ａは、更新データに従って、UPS１１Ａの図示せぬ記憶装置に格納されているプログラムを更新する。
【００９９】
以上のようにして、情報処理システム１において、簡単にUPS１１Ａ乃至１１ＣおよびPDU１２Ａ乃至１２Ｃの管理を行うことができる。具体的には、情報処理装置１４は、所定の制御プログラムを実行するだけで、上述したように、UPS１１Ａ乃至１１ＣおよびPDU１２Ａ乃至１２Ｃの管理を行い、UPS１１Ａ乃至１１ＣとPDU１２Ａ乃至１２Ｃとを連携させて動作させることができる。
【０１００】
また、PDU１２Ａ乃至１２Ｃを設けることにより、たとえUPS１１Ａ乃至１１Ｃが、電力監視機能や出力制御機能を有していなくても、負荷装置１１３への給電を開始または停止する順序やタイミングを制御することが可能になる。
【０１０１】
なお、UPS１１Ａの起動、停止、および、負荷装置１３Ａ１乃至１３Ａ３への給電、並びに、負荷装置１３Ａ１乃至１３Ａ３のシャットダウン指令を情報処理装置１４の代わりにPDU１２Ａ乃至１２Ｃが制御するようにしてもよい。
【０１０２】
次に、図４乃至図６を参照して、本発明を適用した情報処理システムの第２の実施の形態について説明する。
【０１０３】
図４は、本発明を適用した情報処理システムの第２の実施の形態を示すブロック図である。図４の情報処理システム１０１は、UPS１１Ａ乃至１１Ｃ、PDU１１１Ａ乃至１１１Ｃ、負荷装置１３Ａ１乃至１３Ａ３、および、情報処理装置１１２を含むように構成される。UPS１１Ａ乃至１１Ｃは、図示せぬ交流電源に接続されている。また、UPS１１ＡとPDU１１１Ａ、UPS１１ＢとPDU１１１Ｂ、および、UPS１１ＣとPDU１１１Ｃが、それぞれ電力系統と通信系統の２系統において接続されている。さらに、PDU１１１Ａと負荷装置１３Ａ１乃至１３Ａ３、PDU１１１Ｂと負荷装置１３Ｂ１乃至１３Ｂ３、および、PDU１１１Ｃと負荷装置１３Ｃ１乃至１３Ｃ３が接続されている。また、PDU１１１Ａ乃至１１１Ｃが、それぞれ情報処理装置１１２に接続されている。
【０１０４】
なお、図４において、図１と対応する部分については、同じ符号を付してあり、処理が同じ部分については、その説明は繰り返しになるので省略する。また、以下、PDU１１１Ａ乃至１１１Ｃを個々に区別する必要がない場合、単に、PDU１１１と称する。
【０１０５】
PDU１１１Ａは、３つの出力系統３１Ａ１乃至３１Ａ３、制御部１３１Ａ、通信インタフェース（I/F）３３Ａ、および、通信インタフェース（I/F）１３２Ａを含むように構成される。
【０１０６】
制御部１３１Ａは、例えば、CPUなどの演算装置により構成され、PDU１１１Ａ全体の制御を行う。
【０１０７】
図５は、制御部１３１Ａが所定の制御プログラムを実行することにより実現される機能の構成の例を示している。制御部１３１Ａが所定の制御プログラムを実行することにより、監視部１７１、出力制御部１７２、UPS制御部１７３、および、分配部１７４を含む機能が実現される。
【０１０８】
監視部１７１は、電力測定回路４１Ａ１乃至４１Ｃから出力系統３１Ａ１乃至３１Ａ３の負荷電力の状態の測定結果を示すデータを取得し、負荷電力の監視を行う。また、監視部１７１は、負荷電力の監視結果を示すデータを出力制御部１７２に供給する。さらに、監視部１７１は、通信インタフェース３３Ａおよび分配部１７４を介して情報処理装置１１２から送信されてくる指令、または、図示せぬ入力装置を介して入力される指令に基づいて、各種のパラメータ（例えば、負荷電力の異常検出に用いる閾値など）の設定を行う。
【０１０９】
出力制御部１７２は、監視部１７１による負荷電力の監視結果、通信インタフェース３３Ａおよび分配部１７４を介して情報処理装置１１２から送信されてくる各種のデータ、および、図示せぬ入力装置を介して入力される各種のデータに基づいて、スイッチ４２Ａ１乃至４２Ａ３のオンおよびオフの制御を行い、負荷装置１３Ａ１乃至１３Ａ３への給電を制御する。また、出力制御部１７２は、PDU１１１Ａの状態を示すデータを、UPS制御部１７３および分配部１７４に供給する。なお、このPDU１１１Ａの状態を示すデータは、例えば、負荷電力の状態、スイッチ４２Ａ１乃至４２Ａ３の状態などを含む。
【０１１０】
UPS制御部１７３は、通信インタフェース３３Ａおよび分配部１７４を介して情報処理装置１１２から送信されてくる各種のデータ、および、通信インタフェース１３２Ａおよび分配部１７４を介してUPS１１Ａから送信されてくる各種のデータに基づいて、UPS１１Ａの起動または停止を指令するデータを、分配部１７４および通信インタフェース１３２Ａを介してUPS１１Ａに送信し、UPS１１Ａの起動および停止を制御する。
【０１１１】
分配部１７４は、UPS１１Ａ、情報処理装置１１２、出力制御部１７２、および、UPS制御部１７３から各種のデータを取得し、取得したデータの分配を行う。具体的には、分配部１７４は、通信インタフェース３３Ａを介して、情報処理装置１１２から各種のデータを受信し、受信したデータのうち、UPS１１Ａにおいて処理されるデータを、通信インタフェース１３２Ａを介してUPS１１Ａに送信し、監視部１７１、出力制御部１７２、および、UPS制御部１７３において処理されるデータを、監視部１７１、出力制御部１７２、および、UPS制御部１７３に供給する。
【０１１２】
また、分配部１７４は、通信インタフェース１３２Ａを介して、UPS１１Ａから各種のデータを受信し、受信したデータのうち、情報処理装置１１２において処理されるデータを、通信インタフェース３３Ａを介して情報処理装置１１２に送信し、監視部１７１、出力制御部１７２およびUPS制御部１７３において処理されるデータを、監視部１７１、出力制御部１７２およびUPS制御部１７３に供給する。
【０１１３】
さらに、分配部１７４は、出力制御部１７２から供給されるPDU１１１Ａの状態を示すデータを、通信インタフェース３３Ａを介して情報処理装置１１２に送信する。また、分配部１７４は、UPS制御部１７３から供給されるUPS１１Ａの起動または停止を指令するデータを、通信インタフェース１３２Ａを介してUPS１１Ａに送信する。
【０１１４】
図４に戻り、通信インタフェース１３２Ａは、無線または有線の所定の通信方式により、UPS１１Ａの通信インタフェース２４Ａと通信を行う。なお、通信インタフェース１３２Ａに適用される通信方式は、特定の方式に限定されるものではない。
【０１１５】
なお、PDU１１１ＢおよびPDU１１１Ｃも、PDU１１１Ａと同様の構成を有しており、その説明は繰り返しになるので省略する。
【０１１６】
情報処理装置１１２は、例えば、コンピュータにより構成され、UPS１１Ａ乃至１１ＣおよびPDU１１１Ａ乃至１１１Ｃの管理を行う。また、情報処理装置１１２は、負荷装置１３Ａ１乃至１３Ｃ３のうち、シャットダウンの制御などが必要な負荷装置１３の管理を行う。なお、図４において、図を分かりやすくするために、情報処理装置１１２と負荷装置１３Ａ１乃至１３Ｃ３との間の配線の図示を省略している。
【０１１７】
また、情報処理装置１１２は、CPUなどの演算装置、および、通信装置などにより構成される制御部１５１を備えている。
【０１１８】
図６は、制御部１５１が所定の制御プログラムを実行することにより実現される機能の構成の例を示している。制御部１５１が所定の制御プログラムを実行することにより、設定部１８１、UPS管理部１８２、PDU管理部１８３、負荷管理部１８４、モニタ部１８５、および、通信部１８６を含むように構成される。
【０１１９】
なお、図６において、図３と対応する部分については、下２桁が同じ符号を付してあり、処理が同じ部分については、その説明は繰り返しになるので省略する。
【０１２０】
通信部１８６はPDU１１１Ａ乃至１１１Ｃの通信インタフェース３３Ａ乃至３３Ｃと個別に通信を行い、図３の通信部８６と異なり、UPS１１Ａ乃至１１Ｃの通信インタフェース２４Ａ乃至２４Ｃとは通信を行わない。また、図示していないが、通信部１８６は、負荷装置１３Ａ１乃至１３Ｃ３のうち管理が必要な負荷装置１３と通信を行う。
【０１２１】
ここで、情報処理システム１０１の処理の例をいくつか説明する。なお、以下、説明を簡単にするために、UPS１１Ａ乃至１１ＣのうちUPS１１Ａの処理、および、PDU１１１Ａ乃至１１１ＣのうちPDU１１１Ａの処理についてのみ説明するが、UPS１１ＢおよびUPS１１Ｃ、並びに、PDU１１１ＢおよびPDU１１１Ｃについても同様の処理を実行することが可能である。
【０１２２】
なお、情報処理装置１１２によりPDU１１１Ａに関する設定を行う場合の処理、負荷装置１３Ａ１に短絡などの異常が発生し、PDU１１１Ａの出力系統３１Ａ１の負荷電力が異常になった場合の処理は、情報処理システム１における処理と同様であり、その説明は繰り返しになるので省略する。
【０１２３】
まず、情報処理装置１１２によりUPS１１Ａに関する設定を行う場合の処理の例について説明する。
【０１２４】
設定部１８１は、図示せぬ入力装置を介して入力されるユーザからの指令に従って、UPS１１Ａに関する設定を行うための設定画面を、図示せぬ表示装置に表示させる。設定部１８１は、ユーザが設定画面に従って入力装置を介して入力した各種の設定用のパラメータを、UPS管理部１８２に供給する。UPS管理部１８２は、必要なパラメータを記憶するとともに、UPS１１ＡおよびPDU１１１Ａにおいて必要なパラメータを、通信部１８６、および、PDU１１１Ａの通信インタフェース３３Ａを介して、PDU１１１Ａの分配部１７４に送信する。
【０１２５】
分配部１７４は、取得したパラメータのうち、UPS制御部１７３において必要なパラメータを、UPS制御部１７３に供給する。UPS制御部１７３は、取得したパラメータを記憶し、以降、記憶したパラメータに従って処理を行う。一方、分配部１７４は、取得したパラメータのうち、UPS１１Ａにおいて必要なパラメータを、通信部１８６、および、UPS１１Ａの通信インタフェース２４Ａを介して、UPS１１Ａの制御部２３Ａに送信する。制御部２３Ａは、取得したパラメータを記憶し、以降、記憶したパラメータに従って、UPS１１Ａの制御を行う。
【０１２６】
なお、この処理で、情報処理装置１１２から取得したパラメータにより設定される項目としては、例えば、停電の検出感度、UPS１１Ａの出力電圧などがある。
【０１２７】
次に、ユーザにより設定されたスケジュールに従い、UPS１１Ａの起動および停止を行い、負荷装置１３Ａ１乃至１３Ａ３への給電の開始および停止を行う場合の処理の例について説明する。
【０１２８】
UPS１１Ａを起動する時刻になったとき、情報処理装置１１２のUPS管理部１８２は、通信部１８６、および、PDU１１１Ａの通信インタフェース３３Ａを介して、PDＵ１１１Ａの分配部１７４に、UPS１１Ａの起動を指令するデータを送信する。分配部１７４は、通信インタフェース１３２Ａ、および、UPS１１Ａの通信インタフェース２４Ａを介して、UPS１１Ａの制御部２３Ａに、UPS１１Ａの起動を指令するデータを送信する。制御部２３Ａは、受信した指令に従って、電力供給回路２１Ａを起動する。これにより、UPS１１ＡからPDU１１１Ａへの電力の供給が開始される。そして、制御部２３Ａは、通信インタフェース２４Ａ、および、PDU１１１Ａの通信インタフェース１３２Ａを介して、UPS１１Ａの起動が完了したことを通知するデータを、PDU１１１Ａの分配部１７４に送信する。
【０１２９】
分配部１７４は、UPS１１Ａの起動が完了したことを通知するデータを、出力制御部１７２およびUPS制御部１７３に供給するとともに、通信インタフェース３３Ａ、および、情報処理装置１１２の通信部１８６を介して、情報処理装置１１２のUPS管理部１８２に送信する。
【０１３０】
UPS１１Ａの起動の完了の通知を受けたPDU１１１Ａの出力制御部１７２は、スイッチ４２Ａ１乃至４２Ａ３をオンする。これにより、負荷装置１３Ａ１乃至１３Ａ３への給電が開始される。
【０１３１】
このとき、出力制御部１７２は、スイッチ４２Ａ１乃至４２Ａ３をオンする順序およびタイミングが設定されている場合、設定されている順序およびタイミングで、スイッチ４２Ａ１乃至４２Ａ３をオンする。これにより、負荷装置１３Ａ１乃至１３Ａ３への給電を開始し、負荷装置１３Ａ１乃至１３Ａ３を起動する順序およびタイミングを制御することができる。
【０１３２】
出力制御部１７２は、スイッチ４２Ａ１乃至４２Ａ３をそれぞれオンする毎に、分配部１７４、通信インタフェース３３Ａ、および、情報処理装置１１２の通信部１８６を介して、スイッチがオンしたことを示すデータを、情報処理装置１１２のPDU管理部１８３に送信する。
【０１３３】
その後、UPS１１Ａを停止する時刻になったとき、情報処理装置１１２の負荷管理部１８４は、通信部１８６を介して、負荷装置１３Ａ１乃至１３Ａ３のうちシャットダウン処理が必要な負荷装置１３に、シャットダウンを指令するデータを送信する。シャットダウンが指令された負荷装置１３は、シャットダウンの処理を実行する。負荷管理部１８４は、負荷装置１３にシャットダウンの指令を送信したことを、UPS管理部１８２およびPDU管理部１８３に通知する。
【０１３４】
PDU管理部１８３は、通信部１８６、および、PDU１１１Ａの通信インタフェース３３Ａを介して、スイッチ４２Ａ１乃至４２Ａ３のオフを指令するデータを、PDU１１１Ａの出力制御部１７２に送信する。出力制御部１７２は、受信した指令に従って、スイッチ４２Ａ１乃至４２Ａ３をオフする。これにより、負荷装置１３Ａ１乃至１３Ａ３への給電が停止される。
【０１３５】
このとき、出力制御部１７２は、スイッチ４２Ａ１乃至４２Ａ３をオフする順序およびタイミングが設定されている場合、設定されている順序およびタイミングで、スイッチ４２Ａ１乃至４２Ａ３をオフする。これにより、負荷装置１３Ａ１乃至１３Ａ３のシャットダウンに要する時間などに合わせて、負荷装置１３Ａ１乃至１３Ａ３への給電を停止する順序およびタイミングを制御することができる。
【０１３６】
なお、出力制御部１７２によりスイッチ４２Ａ１乃至４２Ａ３をオフする順序およびタイミングを制御する代わりに、情報処理装置１１２のPDU管理部１８３が、スイッチ４２Ａ１乃至４２Ａ３のオフを指令するデータを、それぞれ設定されている順序およびタイミングでPDU１１１Ａの出力制御部１７２に送信し、スイッチ４２Ａ１乃至４２Ａ３をオフする順序およびタイミングを制御するようにしてもよい。
【０１３７】
出力制御部１７２は、スイッチ４２Ａ１乃至４２Ａ３をそれぞれオフする毎に、分配部１７４、通信インタフェース３３Ａ、および、情報処理装置１１２の通信部１８６を介して、スイッチがオフしたことを示すデータを、情報処理装置１１２のPDU管理部１８３に送信する。
【０１３８】
PDU１１１Ａの出力制御部１７２は、スイッチ４２Ａ１乃至４２Ａ３が全てオフされ、出力系統４３Ａ１乃至４３Ａ３からの電力の出力が全て停止された後、スイッチ４２Ａ１乃至４２Ａ３が全てオフされたことをUPS制御部１７３に通知する。UPS制御部１７３は、分配部１７４、通信インタフェース１３２Ａ、および、および、UPS１１Ａの通信インタフェース２４Ａを介して、UPS１１Ａの制御部２３Ａに停止を指令するデータを送信する。制御部２３Ａは、受信した指令に従って、電力供給回路２１Ａを停止する。そして、制御部２３Ａは、通信インタフェース２４Ａ、および、PDU１１１Ａの通信インタフェース１３２Ａを介して、UPS１１Ａの停止が完了したことを通知するデータを、PDU１１１Ａの分配部１７４に送信する。分配部１７４は、UPS１１Ａの停止が完了したことを通知するデータを、出力制御部１７２およびUPS制御部１７３に供給するとともに、通信インタフェース３３Ａ、および、情報処理装置１１２の通信部１８６を介して、情報処理装置１１２のUPS管理部１８２に送信する。
【０１３９】
次に、停電などの入力電力の異常が発生した時に、UPS１１Ａを停止し、負荷装置１３Ａ１乃至１３Ａ３への給電を停止する場合の処理の例について説明する。
【０１４０】
UPS１１Ａの制御部２３Ａは、電力供給回路２１Ａを通常給電からバックアップ給電に切り替えるとともに、通信インタフェース２４Ａ、および、PDU１１１Ａの通信インタフェース１３２Ａを介して、入力電力の異常が発生したことを示すデータを、PDU１１１Ａの分配部１７４に送信する。分配部１７４は、通信インタフェース３３Ａ、および、情報処理装置１１２の通信部１８６を介して、入力電力の異常が発生したことを示すデータを、情報処理装置１１２のUPS管理部１８２に送信する。UPS管理部１８２は、入力電力の異常が予め設定されている期間継続した場合、通信部１８６を介して、負荷装置１３Ａ１乃至１３Ａ３のうちシャットダウン処理が必要な負荷装置１３に、シャットダウンを指令するデータを送信する。以降の処理は、ユーザにより設定されたスケジュールに従って、UPS１１Ａを停止し、負荷装置１３Ａ１乃至１３Ａ３への給電を停止する場合の処理と同様であり、その説明は繰り返しになるので省略する。
【０１４１】
最後に、UPS１１Ａの制御部２３Ａが実行するプログラムを更新する場合の処理の例について説明する。
【０１４２】
情報処理装置１１２の設定部１８１は、図示せぬ入力装置を介して入力されるユーザからの指令に従って、UPS１１Ａのプログラムの更新を実行するための画面を、図示せぬ表示装置に表示させる。設定部１８１は、ユーザが設定画面に従って入力装置を介して指定したプログラムの更新データを、UPS管理部１８２に供給する。UPS管理部１８２は、取得した更新データを、通信部１８６、および、PDU１１１Ａの通信インタフェース３３Ａを介して、PDU１１１Ａの分配部１７４に送信する。分配部１７４は、通信インタフェース１３２Ａ、および、UPS１１Ａの通信インタフェース２４Ａを介して、UPS１１Ａの制御部２３Ａに、取得した更新データを送信する。制御部２３Ａは、更新データに従って、UPS１１Ａの図示せぬ記憶装置に格納されているプログラムを更新する。
【０１４３】
以上のように、情報処理システム１０１においては、情報処理システム１と比較して、UPS１１Ａ乃至１１Ｃと情報処理装置１１２の間のネットワークを構築せずに、UPS１１Ａ乃至１１ＣおよびPDU１１１Ａ乃至１１１Ｃを管理することが可能になる。従って、ネットワークの配線をシンプルにすることができ、工事費を削減したり、通信障害の発生率を低下させることができる。
【０１４４】
また、情報処理装置１１２は、PDU１１１Ａ乃至１１１Ｃとのみ通信を行うだけで、UPS１１Ａ乃至１１Ｃの管理をすることができ、制御部１５１が実行する制御プログラムの構成を簡略化することが可能になる。
【０１４５】
なお、UPS１１Ａの起動、停止、および、負荷装置１３Ａ１乃至１３Ａ３への給電、並びに、負荷装置１３Ａ１乃至１３Ａ３のシャットダウン指令を情報処理装置１１２の代わりにPDU１２Ａ乃至１２Ｃが制御するようにしてもよい。
【０１４６】
また、情報処理システム１および情報処理システム１０１における各装置の数は、その一例であり、それぞれ装置の数を増やしたり、減らしたりすることが可能である。また、情報処理システム１における各PDU１２の出力系統の数、および、各PDU１２に接続される負荷装置１３の数、並びに、情報処理システム１０１における各PDU１１１の出力系統の数、および、各PDU１１１に接続される負荷装置１３の数も、その一例であり、それぞれ増やしたり、減らしたりすることが可能である。さらに、PDU１２またはPDU１１１ごとに、出力系統の数や接続する負荷装置１３の数が異なる構成とすることも可能である。
【０１４７】
なお、本明細書において、システムの用語は、複数の装置、手段などより構成される全体的な装置を意味するものとする。
【０１４８】
また、本発明の実施の形態は、上述した実施の形態に限定されるものではなく、本発明の要旨を逸脱しない範囲において種々の変更が可能である。
【図面の簡単な説明】
【０１４９】
【図１】本発明を適用した情報処理システムの第１の実施の形態を示すブロック図である。
【図２】PDUの制御部により実現される機能の構成の例を示すブロック図である。
【図３】情報処理装置の制御部により実現される機能の構成の例を示すブロック図である。
【図４】本発明を適用した情報処理システムの第２の実施の形態を示すブロック図である。
【図５】PDUの制御部により実現される機能の構成の例を示すブロック図である。
【図６】情報処理装置の制御部により実現される機能の構成の例を示すブロック図である。
【符号の説明】
【０１５０】
１  情報処理システム
１１Ａ乃至１１Ｃ  UPS
１２Ａ乃至１２Ｃ  PDU
１３Ａ１乃至１３Ｃ３  負荷装置
１４  情報処理装置
２１  電力供給回路
２３Ａ乃至２３Ｃ  制御部
２４Ａ乃至２４Ｃ  通信インタフェース
３１Ａ乃至３１Ｃ  出力系統
３２Ａ乃至３２Ｃ  制御部
３３Ａ乃至３３Ｃ  通信インタフェース
４１Ａ１乃至４１Ｃ３  電力測定回路
４２Ａ１乃至４２Ｃ３  スイッチ
４３Ａ１乃至４３Ｃ３  出力端子
５１  制御部
７１  監視部
７２  出力制御部
８１  設定部
８２  UPS管理部
８３  PDU管理部
８４  負荷管理部
８５  モニタ部
８６  通信部
１０１  情報処理システム
１１１Ａ乃至１１１Ｃ  PDU
１１２  情報処理装置
１３１Ａ乃至１３１Ｃ  制御部
１３２Ａ乃至１３３Ｃ  通信インタフェース
１５１  制御部
１７１  監視部
１７２  出力制御部
１７３  UPS制御部
１７４  分配部
１８１  設定部
１８２  UPS管理部
１８３  PDU管理部
１８４  負荷管理部
１８５  モニタ部
１８６  通信部
【図１】
2010098864.tif 000003
【図２】
2010098864.tif 000004
【図３】
2010098864.tif 000005
【図４】
2010098864.tif 000006
【図５】
2010098864.tif 000007
【図６】
2010098864.tif 000008